(57)【要約】      （修正有）【課題】表面層に経血がある程度吸収されても、汚れが目立たず、結果として、使用者への不快な心理状態を優位に低減することができる生理用ナプキンおよびそれを有する生理用下着を提供する。【解決手段】生理用ナプキン１０は、肌当接面を形成する表面層１、及び該表面層１の非肌当接面側に配置された裏地層２を具備し、表面層１は、吸水性繊維から構成され、裏地層２は、防水性繊維から構成され、表面層１は、低明度色で着色されている。【選択図】図１
0003229654.tif 000002
【実用新案登録請求の範囲】
【請求項１】
肌当接面を形成する表面層（１）、及び該表面層（１）の非肌当接面側に配置された裏地層（２）を具備する生理用ナプキンであって、
前記表面層（１）は、吸水性繊維から構成され、前記裏地層（２）は、防水性繊維から構成され、
前記表面層（１）は、低明度色で着色されていることを特徴とする生理用ナプキン。
【請求項２】
請求項１に記載の生理用ナプキンを有する生理用下着。
【考案の詳細な説明】
【技術分野】
【０００１】
本考案は、新規生理用ナプキンおよびそれを用いた下着に関する。より具体的には、表面層に経血がある程度吸収されても、汚れが目立たず、結果として、使用者への不快な心理状態を優位に低減できる新規生理用ナプキンおよびそれを用いた下着に関する。
【背景技術】
【０００２】
女性が、月経前乃至は月経時に使用する生理用ナプキンは、一般的には、経血を吸収するための表面層（肌側層）と、当該経血吸収層の裏面に、裏面層（基材層）とを含み、必要に応じて、これらの層の間に、吸水性ポリマーが充填された吸水層などを備えている。
【０００３】
月経時における経血量は、個人差あるいは、同一人でも女性ホルモンのバランスなどに大きく影響されるが、２０ｍｌ〜１４０ｍｌに及ぶ（平均５０〜６０ｍｌ）。
【０００４】
そのため、生理用ナプキンには、経血を十分に吸収できる特性のみならず、使用中においても、身体の動きによって、生理用ナプキンが下着からのズレを低減し（女性器への密着性（追従性））を維持する特性も要求される。
【０００５】
たとえば、特許文献１には、本体部の肌側表面に隆起部が設けられ、この隆起部が身体の形状に倣うように変形して密着しやすく、追従性を向上させた生理用ナプキンが開示されている（要約書、特許請求の範囲など）。
【先行技術文献】
【特許文献】
【０００６】
【特許文献１】特開２００６−３２６０９２号公報
【考案の概要】
【考案が解決しようとする課題】
【０００７】
従来の生理用ナプキンは、少なくとも表面層（肌側層）の色彩は、白を基調としたものであった。そのため、経血を吸収すると、すぐに経血による汚れが目立ち、依然として十分に経血を吸収できるにもかかわらず、頻繁に交換する必要があった。
【０００８】
本考案者は、従来の生理用ナプキンの構造を鋭意検討した結果、表面層（肌側層）の色彩を、経血が目立たない色である黒色、灰色などの低明度色にすることで、表面層に経血がある程度吸収されても、汚れが目立たず、結果として、使用者への不快な心理状態を優位に低減できることを見出した。
【０００９】
すなわち、本考案は、表面層に経血がある程度吸収されても、汚れが目立たず、結果として、使用者への不快な心理状態を優位に低減できる生理用ナプキンおよびそれを有する生理用下着を提供することを目的とする。
【課題を解決するための手段】
【００１０】
本考案に係る生理用ナプキンは、肌当接面を形成する表面層（１）、及び該表面層（１）の非肌当接面側に配置された裏地層（２）を具備する生理用ナプキンであって、
前記表面層（１）は、吸水性繊維から構成され、前記裏地層（２）は、防水性繊維から構成され、
前記表面層（１）は、低明度色で着色されていることを特徴とする。
【００１１】
また、本考案に係る生理用下着は、上記生理用ナプキンを有することを特徴とする。
【考案の効果】
【００１２】
本考案に係る生理用ナプキンは、表面層に経血がある程度吸収されても、汚れが目立たず、結果として、使用者への不快な心理状態を優位に低減することができるという効果を発揮する。特に、生理用ナプキンを頻繁に交換できない使用者にしてみれば、長期間にわたって、経血による汚れを気にせず、不快な心理状態を低減できる。
【図面の簡単な説明】
【００１３】
【図１】図１（Ａ）および（Ｂ）は、本考案に係る生理用ナプキンを説明するための図である。
【００１４】
【図２】図２は、図１（Ａ）のＸＹ断面図である。
【考案を実施するための形態】
【００１５】
以下、本考案に係る生理用ナプキンおよびそれを有する下着について、適宜図面を参照しながら説明する。
本考案に係る生理用ナプキンの一態様を、図１の付番１０に示す。図１に示されるように、生理用ナプキン１０は、表面層１と裏地層２とを有する、
また、図２は、図１（Ａ）のＸＹ断面図である。かかる図に示されるように、裏地層２は、表面層１の非肌当接面側に配置（積層）された状態で構成されている。
【００１６】
また、表面層は、肌当接面を形成する層であり、使用時には女性器に直接接し、経血を吸収するための層である。また、表面層は、吸水性繊維から構成され、低明度色で着色されていることを特徴とする。このような構成を採用することにより、表面層に経血がある程度吸収されても、汚れが目立たず、結果として、使用者への不快な心理状態を優位に低減することができるという効果を発揮できる。
【００１７】
表面層を構成する吸水性繊維は、経血を十分に吸収できるもの（親水性が高い繊維）である限り特に限定されず、公知のものが適宜使用できる。具体的には、天然繊維（木綿など）、再生繊維（キュプラ、レーヨンなど再生セルロースなど）、その他のセルロース系繊維、ポリアミド系、ポリビニルアルコール系等の１種又は２種以上の繊維が例示される。
あるいは、疎水性繊維であっても、親水化処理剤による表面処理で親水性を付与した物であってもよい。
さらには、これらの繊維を膨潤処理したり、あるいは多孔性にしたりすることで、毛細管現象の向上により親水性（吸水性）を改善することも可能である。
【００１８】
また、表面層は、これらの繊維からなる織布でも不織布であってもよい。さらには、表面の親水性を高めるため、親水化処理剤による表面処理を適宜実施してもよい。
【００１９】
表面層は低明度色に着色されているが、ここで、「低明度色」とは、好ましくは、マンセル表色系における明度が９以下（好ましくは７以下、より好ましくは５以下）である色彩であり、より好ましくは、マンセル表色系における明度が９以下（好ましくは７以下、より好ましくは５以下）である無彩色である。より具体的には、黒色や灰色であるが、経血を目立たなくする特性を考慮すると、黒色が最も好ましい。
【００２０】
なお、表面層１は、肌面に接して十分に経血を吸収できる範囲にあればよい。そのため、図１（Ａ）に示されるように、裏面層と合同の大きさ乃至は若干小さい範囲で形成されていてもよいし、図１（Ｂ）に示されるように、必要な範囲で形成されていてもよい。
【００２１】
図２に示されるように、裏地層２は、表面層の裏面（肌非当接面側、すなわち肌に当接しない面側）に設けられている（積層されている）。ここで裏地層２と表面層１とは、公知の方法で積層されている。たとえば、両層が接着剤（たとえばホットメルト系接着剤）を介して積層されていてもよいし、縫製されていてもよい。
【００２２】
裏地層２は、防水性繊維から構成される。防水性繊維としては、経血の吸収性が低い、本技術分野で使用される繊維であれば特に限定されず、公知の繊維を適宜使用することができる。具体的な防水性繊維としては、ポリエステル系繊維（ポリエチレンテレフタレート、ポリブチレンテレフタレート、ポリエチレンナフタレートなどの繊維）やオレフィン系繊維（ポリエチレン、ポリプロピレンなどの繊維）が例示される。
裏地層２は、これらの繊維からなる織布でも不織布であってもよく、表面の疎水性（防水性）を高めるため、疎水化処理剤による表面処理を適宜実施してもよい。
【００２３】
また、図示はしないが、経血を十分に吸収できるという観点からは、表面層１と裏地層２との間に、公知の高吸水性樹脂粒子などの経血吸収体からなる層を有していることが好ましい。
ここで、高吸水性樹脂粒子は、表面層を構成する吸水性繊維と同様に、経血を十分に吸収できる粒子である限り特に限定されず、公知のものを適宜使用できる。高吸水性樹脂粒子は、略粒子状（球状）の形状を有しており、典型的には、５〜１，０００μｍの平均粒子径を有するものである。
【００２４】
なお、上記高吸水性樹脂粒子では、通常、経血と親和性の高い官能基を高分子鎖に有する。当該官能基としては、中和カルボキシル基、カルボキシル基、（部分）中和スルホン基、スルホン酸基、ヒドロキシル基が例示される。この中でも、部分中和カルボキシル基が好ましい。このような部分中和カルボキシル基を与えるモノマーとしては、アクリル酸やメタクリル酸などの不飽和カルボン酸が好ましい。
【００２５】
また、吸収性を向上させるという観点からは、高吸水性樹脂粒子は、重合物架橋体であることが好ましい。このような架橋としては、共有結合架橋、イオン結合等の化学架橋ないしは高分子鎖の絡み合いによる物理架橋などが挙げられる。
【００２６】
なお、本考案に係る生理用ナプキンは、使用時に経血が漏れるリスクを低減するために、表面層などをエンボス加工などで凹凸を形成することが望ましい。また、本考案に係る生理用ナプキンは、図１の付番３に示すウィング上フラップ（羽）など、必要に応じてその他の部材を備えていることが好ましい。
【００２７】
また、本考案に係る生理用下着は、公知の下着（下半身用）と上記生理用ナプキンとから構成される。図１の付番３に示されるように、使用時のズレを低減するため、生理用下着には、ウィング上フラップ（羽）を備えている生理用ナプキンを使用することが好適である。
【産業上の利用可能性】
【００２８】
本考案に係る生理用ナプキンによれば、表面層に経血がある程度吸収されても、汚れが目立たず、結果として、使用者への不快な心理状態を優位に低減することができる生理用ナプキンおよびそれを有する生理用下着を提供することが可能となる。
【符号の説明】
【００２９】
１０：本考案に係る生理用ナプキン
１：表面層
２：裏地層
３：ウィング上フラップ（羽）
【図１】
0003229654.tif 000003
【図２】
0003229654.tif 000004